(57)【要約】      （修正有）【課題】フレキシブル媒体の超小型磁気ディスクカートリッジが使用されるスイングアーム型ディスクドライブ装置において、面振れによる記録再生特性の劣化を低減する。【解決手段】スイングアーム２３が揺動する領域にわたって開口した開口部６を有するディスクカートリッジ１を装填可能なカード型ドライブ装置１０において、記録再生ヘッド２２が、開口部６における情報記録媒体の回転上流側のエッジ部６ａ付近に沿って移動するように構成する。【選択図】  図４
2004348909.tif 000002
【特許請求の範囲】
【請求項１】
ディスクカートリッジのハウジングに収容されたディスク状の情報記録媒体を回転させる回転駆動部と、該回転駆動部により回転される前記情報記録媒体に前記ハウジングに形成された開口部からアクセスして情報を記録再生する記録再生ヘッドを先端に有する揺動可能なスイングアームとを備えたカード型ドライブ装置であって、前記ハウジングが、前記記録再生ヘッドを前記情報記録媒体の径方向に移動させるために、前記スイングアームが揺動する領域にわたって開口した開口部を有するディスクカートリッジを装填可能なカード型ドライブ装置において、
前記記録再生ヘッドが、前記開口部における前記情報記録媒体の回転上流側のエッジ部付近に沿って移動するものであることを特徴とするカード型ドライブ装置。
【発明の詳細な説明】
【０００１】
【発明の属する技術分野】
本発明は磁気カートリッジを装填する磁気記録再生装置のドライブ装置、特にカード型ドライブ装置に関するものである。
【０００２】
【従来の技術】
従来、デジタルカメラ等のモバイル機器においては、記録媒体としてたとえば「ｃｌｉｋ！（登録商標）」や「Ｐｏｃｋｅｔ  Ｚｉｐ（登録商標）」と呼ばれる超小型の磁気ディスクカートリッジが使用されている。このディスクカートリッジは、たとえば幅５０ｍｍ、奥行き５５ｍｍ、厚さ１．９５ｍｍの扁平な金属薄板からなる上下シェルを備えたハウジング内に、センターコアに固定された４０ＭＢの記憶容量を有する直径約１．８インチ（４６．５ｍｍ）の磁気ディスク等の可撓性を有する情報記録媒体５を回転自在に収容したものである。
【０００３】
上述したディスクカートリッジに情報を記録再生するドライブ装置として、パーソナルコンピュータのＰＣＭＣＩＡタイプ２規格に準拠したカードスロットに装填可能なカード型ドライブ装置が用いられる（たとえば特許文献１参照。）。図５は従来のカード型ドライブ装置１０にディスクカートリッジ１が装填された様子を示す模式図である。図５のカード型ドライブ装置１０は、ディスクカートリッジ１に収容された情報記録媒体５に情報を記録再生するためのカード型のドライブ本体２０と、ドライブ本体２０に取り付けられた扁平なカバー部材３０とを有している。また、ドライブ本体２０とカバー部材３０との間にはディスクカートリッジ１を収容するための収容部２５が設けられており、ディスクカートリッジ１がドライブ本体２０の前方に設けられた挿入口１０ａから挿入され収容部２５に収容された状態において、ドライブ本体２０が情報の記録再生を行う。
【０００４】
ここで、ドライブ本体２０は、センターコアを保持して情報記録媒体５を矢印Ｒ１方向に回転させる回転駆動部と（図示せず）、回転駆動部により回転された情報記録媒体５にアクセスして情報を記録再生する記録再生ヘッド２２を先端に備えた揺動可能なスイングアーム２３とを備えている。そして、スイングアーム２３が開口部６上を揺動することにより、記録再生ヘッド２２が情報記録媒体５上を移動して情報を記録再生するようになっている。
【０００５】
具体的には、開口部６は略Ｖ字状に形成されており、スイングアーム２３の先端の移動軌跡の外側に沿って情報記録媒体５の径方向に形成された第１エッジ部１６ａと、スイングアーム２３の延長方向に沿って情報記録媒体５の径方向に形成された第２エッジ部１６ｂとを有している。そして、スイングアーム２３の先端に固定された記録再生ヘッド２２は、第１エッジ部１６ａ付近において径方向に移動し、情報記録媒体５にアクセスして情報の記録再生を行うようになっている。
【０００６】
【特許文献１】
国際公開第ＷＯ９９／６６５０８号パンフレット
【０００７】
【発明が解決しようとする課題】
ここで、情報記録媒体５は可撓性を有するものであるため、開口部６から露出した情報記録媒体５は面振れが発生する。この面振れは開口部６から露出した直後よりも開口部６からハウジングに収容される直前の方が大きくなる。つまり、第１エッジ部１６ａ付近の情報記録媒体５は、第２エッジ部１６ｂ付近の情報記録媒体５よりも面振れが大きくなっている。
【０００８】
しかし、記録再生ヘッド２２は第１エッジ部１６ａ付近において情報記録媒体５にアクセスしているため、面振れによる記録再生特性の劣化が生じてしまう恐れがあるという問題がある。
【０００９】
そこで、本発明は、面振れによる記録再生特性の劣化を低減することができるカード型ドライブ装置を提供することを目的とするものである。
【００１０】
【課題を解決するための手段】
本発明のカード型ドライブ装置は、ディスクカートリッジのハウジングに収容されたディスク状の情報記録媒体を回転させる回転駆動部と、回転駆動部により回転される情報記録媒体にハウジングに形成された開口部からアクセスして情報を記録再生する記録再生ヘッドを先端に有する揺動可能なスイングアームとを備えたカード型ドライブ装置であって、ハウジングが、情報記録媒体の径方向に記録再生ヘッドを移動させるために、スイングアームが揺動する領域にわたって開口した開口部を有するディスクカートリッジを装填するカード型ドライブ装置において、記録再生ヘッドが、開口部における情報記録媒体の回転上流側のエッジ部付近に沿って移動するものであることを特徴とするものである。
【００１１】
【発明の効果】
本発明のカード型ドライブ装置によれば、スイングアームの先端に保持された記録再生ヘッドは開口部の回転上流側のエッジ部付近に沿って移動するものであり、開口部の回転上流側のエッジ部付近では情報記録媒体が面振れの少ないため、面ぶれの少ない領域において情報の記録再生を行うことができ、面振れによるデータ記録再生精度の劣化を低減することができる。
【００１２】
【発明の実施の形態】
以下、本発明のカード型ドライブ装置の実施の形態について図面を参照しながら詳細に説明する。図１は本発明のカード型ドライブ装置の好ましい実施の形態を示す斜視図である。図１において、カード型ドライブ装置１０は、パーソナルコンピュータ等のカードスロットに挿入されて使用されるものであり、たとえばＰＣＭＣＩＡタイプ２の規格に適合した幅５３ｍｍ、奥行き８５ｍｍ、厚さ５ｍｍの寸法を有する。このカード型ドライブ装置１０の前方にはディスクカートリッジ１を挿入するための挿入口１０ａが設けられており、後方にはパーソナルコンピュータに接続するためのコネクタ１０ｂが設けられている。
【００１３】
図２は本発明のカード型ドライブ装置１０により情報の記録再生が行われるディスクカートリッジの一例を示す平面図である。なお、図２（ａ）、（ｂ）、（ｃ）にそのロータリシャッター７が閉状態にある平面図、側面図および底面図を示している。
【００１４】
このディスクカートリッジ１は、押込み部２ａを含む樹脂製の通常スタビライザと呼ばれるフレーム２と、金属薄板からなる上下シェル３、４とによって構成された、幅５０ｍｍ、奥行き５５ｍｍ、厚さ１．９５ｍｍの扁平なハウジング内に、４０ＭＢの記憶容量を有する直径約１．８インチ（４６．５ｍｍ）のディスク状の情報記録媒体５を回転自在に収容したものである。この情報記録媒体５は、フレキシブルな円盤状の情報記録媒体５と、情報記録媒体５の中心に設けられたセンターコアＣとを備えている。この情報記録媒体５は、たとえばプラスチックフィルムに磁性材を塗布したものであって可撓性を有している。
【００１５】
また、ハウジングは、カード型ドライブ装置１の記録再生ヘッド２２を情報記録媒体５の表面にアクセスさせるためのＶ字状の開口部６と、この開口部６を開閉するためのロータリシャッター７とを備えている。そして、カード型ドライブ装置１が情報記録媒体５に対して情報の記録再生を行うときには、ロータリシャッター７が開き、開口部６から磁気ヘッドが挿入されるようになっている。一方、カード型ドライブ装置１から取り出されたときに開口部６から埃等が入り込まないようにするため、ロータリシャッター７が閉じて開口部６を塞ぐようになっている。
【００１６】
図３は図１のカード型ドライブ装置１０の分解斜視図を示している。図２において、カード型ドライブ装置１０は、ディスクカートリッジ１に収容された情報記録媒体に情報を記録再生するためのカード型のドライブ本体２０と、ドライブ本体２０に取り付けられた扁平なカバー部材３０とを備えている。ドライブ本体２０とカバー部材３０との間にはディスクカートリッジ１を収容するための収容部２５が設けられており、ディスクカートリッジ１がドライブ本体２０の前方に設けられた挿入口１０ａから挿入され収容部２５に収容された状態において、ドライブ本体２０が情報の記録再生を行う。
【００１７】
ドライブ本体２０は、情報記録媒体５を回転させるための回転駆動部２１と、回転駆動部２１により回転している情報記録媒体５の表面にアクセスして情報の記録再生を行う記録再生ヘッド２２を先端に備えた、記録再生ヘッド２２を情報記録媒体５上において矢印Ｒ１０方向に揺動させるためのスイングアーム２３とを有している。
【００１８】
図４はカード型ドライブ装置１０にディスクカートリッジ１が装填された状態を示す平面図である。図４において、カード型ドライブ装置１０にディスクカートリッジ１が装填されたときに、ロータリシャッター７が開いて、開口部６から情報記録媒体５が外部に臨むようになっている。そして、記録再生ヘッド２２が開口部６から情報記録媒体５にアクセスして情報を記録再生するようになっている。
【００１９】
ここで、開口部６は略Ｖ字状に形成されており、カード型ドライブ装置１０に装填された状態において、スイングアーム２３の先端の移動軌跡の外側に沿って情報記録媒体５の径方向に形成された第１エッジ部１６ａと、スイングアームの延長方向に沿って情報記録媒体５の径方向に形成された第２エッジ部１６ｂとを有している。そして、開口部６は、記録再生ヘッド２２を情報記録媒体５の径方向に移動させるために、スイングアーム２３が矢印Ｒ１０方向に揺動する領域にわたって設けられており、記録再生ヘッド２２は開口部６における第２エッジ部１６ｂの付近において情報記録媒体５にアクセスすることになる。
【００２０】
また、回転駆動部２１は、情報記録媒体５を矢印Ｒ２方向に回転させるようになっており、このため開口部６の第１エッジ部１６ａが情報記録媒体５の回転上流となり、第２エッジ部１６ｂが情報記録媒体５の回転下流となる。よって、記録再生ヘッド２２は、開口部６における回転上流側である第１エッジ部１６ａ付近ＡＲにおいて情報記録媒体５にアクセスすることになる。開口部６の回転上流側は面振れが少ないので、情報記録媒体５へ情報を記録再生する際の面振れによる記録再生特性の劣化を防止することができる。
【００２１】
すなわち、上述したように、情報記録媒体５は可撓性を有しているため、開口部６から外部に臨んだときに面振れが生じやすい。この面振れは情報記録媒体５の回転上流よりも回転下流の方が大きくなる。したがって、従来のように、記録再生ヘッド２２は、第１エッジ部１６ａの付近ＡＲにおいて情報記録媒体５にアクセスしていても、情報記録媒体５が回転駆動部２１により矢印Ｒ１方向に回転しているため（図５参照）、回転下流において情報記録媒体５にアクセスしていることになり、記録再生特性の観点から見ると好ましいものではない。
【００２２】
一方、図４においては、記録再生ヘッド２２は、第１エッジ部１６ａの付近ＡＲにおいて情報記録媒体５にアクセスし、さらに情報記録媒体５が回転駆動部２１により矢印Ｒ２方向に回転しているため（図５参照）、回転上流において情報記録媒体５にアクセスしていることになり、面振れによる記録再生特性の劣化を低減することができる。
【００２３】
本発明の実施の形態は、上記実施の形態に限定されない。たとえば、図４において、記録再生ヘッド２２は、スイングアーム２３の先端に設けられているが、第１エッジ部１６ａの付近ＡＲにおいて情報記録媒体５にアクセスするものであればよく、第１エッジ部１６ａの付近ＡＲはたとえば（第１エッジ部１６ａから円周方向下流側に（３ｍｍ〜６ｍｍ）程度の距離の範囲であればよい。
【００２４】
また、図４において、記録再生ヘッド２２が第２エッジ部１６ｂ付近を揺動するような構成を有しているが、第１エッジ部１６ａ付近を揺動するような配置構造にしてもよい。この場合、回転駆動部２１は第１エッジ部１６ａ側が回転上流となるように情報記録媒体５を矢印Ｒ１方向に回転させるようになる。
【図面の簡単な説明】
【図１】本発明のカード型ドライブ装置の好ましい実施の形態を示す斜視図
【図２】本発明のカード型ドライブ装置に装填されるディスクカートリッジの好ましい実施の形態におけるロータリシャッターが閉状態にある状態を示す平面図および底面図
【図３】本発明のカード型ドライブ装置の好ましい実施の形態を示す分解斜視図
【図４】本発明のカード型ドライブ装置の好ましい実施の形態を示す平面図
【図５】従来のカード型ドライブ装置の一例を示す斜視図
【符号の説明】
１      ディスクカートリッジ
５      情報記録媒体
６      開口部
７      ロータリシャッター
１０    カード型ドライブ装置
１０ｂ  コネクタ
２０    ドライブ本体
２１    回転駆動部
２２    記録再生ヘッド
２３    スイングアーム
【図１】
2004348909.tif 000003
【図２】
2004348909.tif 000004
【図３】
2004348909.tif 000005
【図４】
2004348909.tif 000006
【図５】
2004348909.tif 000007